(57)【要約】【課題】暗い工事現場において存在位置を確実に示すことのできる墨出し器を提供するものである。【解決手段】墨出し器のハウジング１０の少なくとも一部に夜光塗料１２を塗布する。これによって、墨出し器が暗い部屋の床の上に置かれていても、作業者が夜光塗料１２の光によって存在位置を認識できる。この結果、床の上に置かれた墨出し器が踏まれたり蹴られたりすることが無くなり、故障や破壊の発生を防止できると共に置き忘れも防止することができる。【選択図】図１
2005146638.tif 000002
【特許請求の範囲】
【請求項１】
ハウジングとハウジング以外の外部露出部材との少なくとも一方の一部または全部に夜光塗料を塗布したことを特徴とする墨出し器。
【請求項２】
前記ハウジングにリンク機構を取付け、そのリンク機構の先端に前記光源から出されるレーザー光を反射させて前記夜光塗料に照射させるために鏡を取付けたことを特徴とする請求項１記載の墨出し器。
【請求項３】
前記ハウジングの上部に前記夜光塗料を塗布したことを特徴とする請求項１または２記載の墨出し器。
【発明の詳細な説明】
【技術分野】
【０００１】
本発明は、室内の内装工事等で水平方向や鉛直方向の墨出し用の光を出すための墨出し器に関する。
【背景技術】
【０００２】
従来から、室内の基礎工事や内装工事等においては、例えばレーザー光線を壁や天井等に照射して水平方向や鉛直方向の線等を示すための墨出し器が使用されている。墨出し器は一般に、内装工事の床面に置いて使用されている。墨出し器が置かれる工事中の床面は必ずしも平らではないため、墨出し器には光源を備えた主体部を水平方向に保つための角度調整機構が下側に備えられている。使用時にその角度調整機構を調節して、光源を備えた主体部を水平方向にセットしてから、レーザー光線等による墨出しを行っている。この種の墨出し器は、例えば特許文献１に知られている。
【特許文献１】特開２０００−３２６２６７号公報（第２−４頁、図１）
【発明の開示】
【発明が解決しようとする課題】
【０００３】
室内の工事は、照明器具が無い状態か１〜２個程度の裸電球が備えられた室内で作業が行われることが一般的である。この室内工事の段階では、足で踏まれたり蹴られたりしてはいけない建築部材は、工事現場に立て掛けられたり或いは別室に置かれたりしているが、室内工事の現場の床面には、足で踏み付けられたり蹴飛ばしたりしても良い建築部材や工具等が一般に置かれている。
【０００４】
墨出し器は工事現場の床面に置かれて使用され、レーザー光線等を出さない時にもそのまま床面の上に置かれていることが多い。また、作業者は、工事現場の床面は足で踏み付けても蹴飛ばしても大丈夫なものが置かれているとの感覚を持っている。このため、暗い室内の床面に置かれている墨出し器は、作業者によって踏み付けられたり蹴飛ばされたりして、故障や破損が頻繁に発生していた。更に、暗い室内の床面に置かれている墨出し器は、作業終了時に現場に置き忘れるミスも時々発生していた。
【０００５】
本発明は上記の点に鑑みてなされたもので、暗い工事現場でも存在位置を確実に示すことのできる墨出し器を提供することを目的とするものである。
【課題を解決するための手段】
【０００６】
本発明に係る墨出し器は、ハウジングとハウジング以外の外部露出部材との少なくとも一方の一部または全部に夜光塗料を塗布するようにしたものである。本発明はまた、前記ハウジングにリンク機構を取付け、そのリンク機構の先端に前記光源から出されるレーザー光を反射させて前記夜光塗料に照射させるために鏡を取付けるようにしたものである。本発明は更に、前記ハウジングの上部に前記夜光塗料を塗布するようにしたものである。
【発明の効果】
【０００７】
ハウジング等の少なくとも一部に夜光塗料を塗布することで、工事作業に入る前に墨出し器に日光や照明を当てることで、暗い室内でもその存在位置を知らせることができ、作業者に踏み付けられたり蹴飛ばされたりすることを防止することができる。また、作業終了時に墨出し器を置き忘れるというミスを防止することができる。更に、ハウジングにリンク機構を介して鏡を取付けることによって、墨出し器と現場にある裸電球等の光源との間に障害物があったりしても、現場にある光源の光をよって鏡にハウジングの夜光塗料を塗布した箇所に照射させることができる。これによって、墨出し器の夜光塗料を光らせることができる。
【発明を実施するための最良の形態】
【０００８】
次に本発明を図面に基づいて説明する。
図１は本発明に係る墨出し器の斜視図である。墨出し器のハウジング１０の少なくとも一部に夜光塗料１２（斜線箇所）を塗布する。夜光塗料１２を塗布する箇所は、ハウジング１０の全部であっても良いが、夜光塗料１２は高価なため一部に塗布するのが経済的である。ハウジング１０の一部に夜光塗料１２を塗布する場合には、ハウジング１０の上部（上面及び／または側面の上方）に塗布するのが望ましい。図１におけるハウジング１０は円柱形状を基本形状とし、上部外周に傾斜部１４を形成している。夜光塗料１２は上部外周の傾斜部１４と環状の上面１６とに塗布する。なお、環状の上面１６の中央には、機種や性能等の各種説明を表示した外部露出部材としてのプレート１８が取付けられる。このプレート１８には原則的には夜光塗料１２を塗布しないが、プレート１８の一部または全部に夜光塗料１２を塗布しても良い。ハウジング１０の上部に夜光塗料１２を塗布するのは、墨出し器を床面に置くことから、作業者にとってハウジング１０の上部が見易いためである。ハウジング１０には、ハウジング１０以外に把手２０等の外部露出部材が取付けられているが、ハウジング１０と共にあるいはハウジング１０に代えて、その外部露出部材の一部または全部に夜光塗料１２を塗布しても良い。
【０００９】
墨出し器のハウジング１０にはリンク機構２２の一端が取付けられており、そのリンク機構２２の他端には鏡２４が備えられている。リンク機構２２は既知のものであるのでその構成の説明を省略するが、リンク機構２２はハウジング１０に対する鏡２４の位置や角度を変更することができるものとする。また、ハウジング１０に対するリンク機構２２の取付け位置を変えることができることが望ましい。
【００１０】
以上のように構成した墨出し器では、ハウジング１０等の少なくとも一部に夜光塗料１２を塗布してあるので、作業開始前に日光や照明器具等の光を墨出し器に照射することで夜光塗料１２を光らせ、暗い室内作業箇所の床面に置かれている墨出し器の位置を作業者に知らせることができる。この結果、作業中に作業者が墨出し器を踏み付けたり蹴飛ばしたりすることを無くし、墨出し器における踏み付けや蹴飛ばしによる故障や破損を防止することができる。また、作業終了時における墨出し器の置き忘れを防止することができる。なお、作業現場に例えば裸電球１個等の光源があれば、その光源の光を夜光塗料１２に照射することができ、作業中や作業終了時での床面に置かれている墨出し器の位置を作業者に知らせることができる。
【００１１】
次に、リンク機構２２と鏡２４の働きについて説明する。図２に示すように、障害物２６の存在によって、墨出し器のハウジング１０に光源（図示せず）からの光２８が直接当たらない場合がある。この場合には、リンク機構２２によって鏡２４を移動させ、光源（図示せず）からの光２８を鏡２４で反射させて、反射した光２８をハウジング１０に塗布された夜光塗料１２（斜線箇所）に照射させることができる。また、光源からの光２８がハウジング１０に直接当たる場合でも、リンク機構２２と鏡２４とによって、光源からの光２８が直接当たらない位置の夜光塗料１２（斜線箇所）に光を照射させることができ、どの方向からでも床面に置かれている墨出し器の位置を作業者に知らせることができる。
【図面の簡単な説明】
【００１２】
【図１】本発明に係る墨出し器の斜視図である。
【図２】本発明に係る墨出し器の鏡によって光で夜光塗料を照射する状態を示す正面図である。
【符号の説明】
【００１３】
１０  ハウジング
１２  夜光塗料
１８  プレート
２０  把手
２２  リンク機構
２４  鏡
２８光
【図１】
2005146638.tif 000003
【図２】
2005146638.tif 000004